(57)【要約】【課題】  温度補正を精度良く行うことができる手持ち屈折計を提供する。【解決手段】  手持ち屈折計は、鏡筒軸を有する鏡筒と、鏡筒の一端に固定されたプリズムであって、被測定体との境界面を成す入射面を有するプリズムと、鏡筒内に、鏡筒軸と直交する所定の旋回軸を中心として旋回自在に支持された筒形の光学シャーシと、光学シャーシ内に配置され、光学シャーシに対して光軸が位置決めされた対物レンズと、光学シャーシ内において、旋回軸の近傍であって対物レンズの焦点に配置された光学目盛と、温度変化に応じて、光学シャーシを旋回軸を中心として旋回することにより、光学目盛に対して対物レンズの光軸を相対的に移動する光軸移動手段と、を有する。【選択図】図１
2006208179.tif 000002
【特許請求の範囲】
【請求項１】
被測定体の屈折率を測定するための手持ち屈折計であって、
鏡筒軸を有する鏡筒と、
前記鏡筒の一端に固定されたプリズムであって、被測定体との境界面を成す入射面を有するプリズムと、
前記鏡筒内に、前記鏡筒軸と直交する所定の旋回軸を中心として旋回自在に支持された筒形の光学シャーシと、
前記光学シャーシ内に配置され、前記光学シャーシに対して光軸が位置決めされた対物レンズと、
前記光学シャーシ内において、前記旋回軸の近傍であって前記対物レンズの焦点に配置された光学目盛と、
温度変化に応じて、前記光学シャーシを前記旋回軸を中心として旋回することにより、前記光学目盛に対して前記対物レンズの光軸を相対的に移動する光軸移動手段と、
を有する、手持ち屈折計。
【請求項２】
前記旋回軸は、前記プリズムの入射面の法線と、前記入射面から入射した光が出射する前記プリズムの出射面の法線と、を含む測定平面に垂直な軸である、請求項１に記載の手持ち屈折計。
【請求項３】
前記光軸移動手段は、前記対物レンズの近傍において前記光学シャーシを支持し、温度変化に応じて変位することにより前記光学シャーシを傾ける駆動部材を含む、請求項１に記載の手持ち屈折計。
【請求項４】
前記駆動部材は、ディスク状のバイメタルを含む、請求項３に記載の手持ち屈折計。
【請求項５】
前記ディスク状のバイメタルは、前記鏡筒に固定されたケース内に配置される、請求項４に記載の手持ち屈折計。
【請求項６】
前記光軸移動手段は、前記光学シャーシを前記駆動部材に向かって付勢する付勢部材を含む、請求項３に記載の手持ち屈折計。
【請求項７】
前記付勢部材は、前記鏡筒と前記光学シャーシとの間に配置された板ばねを含む、請求項６に記載の手持ち屈折計。
【請求項８】
前記鏡筒の前記一端に、開位置と閉位置の間で旋回自在に取り付けられた蓋板であって、前記閉位置において前記プリズムの入射面を覆う蓋板と、
前記鏡筒の前記プリズムよりも先端側に設けられたサンプルを滴下するためのサンプル滴下部であって、前記プリズムの入射面と連なっており、前記蓋板が閉位置にあるとき外部に露出するサンプル滴下部と、
をさらに有する、請求項１に記載の手持ち屈折計。
【発明の詳細な説明】
【技術分野】
【０００１】
本発明は、液体の屈折率を測定するための手持ち屈折計に関する。
【背景技術】
【０００２】
従来、液体の屈折率を測定するための手持ち屈折計が知られている。手持ち屈折計は、液体と屈折率が既知であるプリズムとの境界面における臨界角から、液体の屈折率を測定するものである。液体の屈折率が可溶性物質の含有量によって変化することから、手持ち屈折計は、一般的に、屈折率の違いを濃度や糖度に換算して液体の濃度や糖度を測定するための濃度計や糖度計として使用される。
【０００３】
図８は、特許文献１に開示される従来の手持ち屈折計１００を示す。被測定液１０２側からプリズム１０４に光を入射させると、境界面１０６において臨界角で屈折した光が出射する方向に、明暗の境界線が生ずる。この明暗の境界線を、対物レンズ１０８により、屈折率（あるいは濃度または糖度）を示す光学目盛１１０上に結像させることにより、対応する屈折率（あるいは濃度または糖度）が得られる。
【０００４】
屈折率は環境温度によって変化するので、液体の濃度や糖度を正しく測定するために温度補正を行う必要がある。図８の手持ち屈折計１００では、例えば、被測定液１０２に水を用いて、明暗の境界線が光学目盛１１０の濃度０％または糖度０％を示す目盛上に現れるように、対物レンズ１０８の上下方向の位置を調整ネジ１１２で調整することにより温度補正を行っていた。
【０００５】
一方、温度補正を自動で行う手持ち屈折計も数多く開発されてきた。図９は、自動温度補正機能を備えた従来の手持ち屈折計２００を示す。手持ち屈折計２００は、板状のバイメタル２１４を用いて温度変化に応じて光学目盛２１０を図において上下方向に移動することにより、測定値の温度補正を行うように構成されている。この構成では、比較的長い板状バイメタル２１４が鏡筒２１６内に延在する。そのため、使用者が屈折計２００を長時間把持していると、使用者の手の熱で板状バイメタル２１４が変形し、精度良く温度補正を行うことができないという問題があった。また、板状バイメタル２１４の両端を光学目盛２１０および鏡筒２１６にそれぞれ固定するために多くの部品を必要し、これらの部品と板状バイメタル２１４を鏡筒２１６内に位置決め固定しなければならないため、組み立てが困難であった。さらに、鏡筒２１６内に大きなスペースが必要であるため、小型の手持ち屈折計にはこの構成を適用することができない等の問題があった。
【０００６】
他の手持ち屈折計として、温度変化に応じて対物レンズを移動するものがある。この手持ち屈折計は、図９の構成に比べて、使用者の手の熱による影響を受けにくい。しかしながら、図９の手持ち屈折計と同様に、温度変化に応じて変位する細長い板状の部材で対物レンズを片持ち式に支持するので、温度変化による対物レンズの変位量が安定せず、温度補正を精度良く行うことができない。また、図９の手持ち屈折計と同様に、部品点数が多く、組み立てが困難であり、小型化できない、という問題もあった。
【特許文献１】特開２００３−３４４２８３号公報
【発明の開示】
【発明が解決しようとする課題】
【０００７】
本願発明の目的は、上記の問題点を解決するため、温度補正を精度良く行うことができる手持ち屈折計を提供することである。
【課題を解決するための手段】
【０００８】
本願発明の手持ち屈折計は、鏡筒軸を有する鏡筒と、鏡筒の一端に固定されたプリズムであって、被測定体との境界面を成す入射面を有するプリズムと、鏡筒内に、鏡筒軸と直交する所定の旋回軸を中心として旋回自在に支持された筒形の光学シャーシと、光学シャーシ内に配置され、光学シャーシに対して光軸が位置決めされた対物レンズと、光学シャーシ内において、旋回軸の近傍であって対物レンズの焦点に配置された光学目盛と、温度変化に応じて、光学シャーシを旋回軸を中心として旋回することにより、光学目盛に対して対物レンズの光軸を相対的に移動する光軸移動手段と、を有する。
【０００９】
旋回軸は、プリズムの入射面の法線と、入射面から入射した光が出射するプリズムの出射面の法線と、を含む測定平面に垂直な軸である。
【００１０】
光軸移動手段は、対物レンズの近傍において光学シャーシを支持し、温度変化に応じて変位することにより光学シャーシを傾ける駆動部材を含む。
【００１１】
駆動部材は、好ましくは、ディスク状のバイメタルを含む。
【００１２】
ディスク状のバイメタルは、好ましくは、鏡筒に固定されたケース内に配置される。
【００１３】
光軸移動手段は、好ましくは、光学シャーシを駆動部材に向かって付勢する付勢部材を含む。
【００１４】
付勢部材は、好ましくは、鏡筒と光学シャーシとの間に配置された板ばねを含む。
【００１５】
手持ち屈折計は、鏡筒の一端に、開位置と閉位置の間で旋回自在に取り付けられた蓋板であって、閉位置においてプリズムの入射面を覆う蓋板と、鏡筒のプリズムよりも先端側に設けられたサンプルを滴下するためのサンプル滴下部であって、プリズムの入射面と連なっており、蓋板が閉位置にあるとき外部に露出するサンプル滴下部と、をさらに有することが好ましい。
【発明の効果】
【００１６】
本願発明によれば、温度補正を精度良く行うことができる手持ち屈折計を提供することができる。
【発明を実施するための最良の形態】
【００１７】
図１は、本願発明による手持ち屈折計の実施形態を光軸に沿って縦方向に切断した断面図である。図２は、図１の手持ち屈折計を光軸に沿って横方向に切断した断面図である。
【００１８】
図１に示すように、手持ち屈折計１０は、鏡筒軸Ａを有する鏡筒１２と、鏡筒１２の前端に固定されたプリズム２２と、鏡筒１２内に所定の旋回軸を中心として旋回自在に支持された光学シャーシ３０と、光学シャーシ３０内の前方位置に配置された対物レンズ３４と、光学シャーシ３０内の後方位置に配置された光学目盛３６と、温度変化に応じて光学シャーシ３０を旋回し、鏡筒軸Ａに対する対物レンズ３４の光軸の位置を変更する光軸移動手段５０と、を有する。
【００１９】
より詳細には、以下の通りである。
【００２０】
鏡筒１２は、鏡筒本体１４を有する。鏡筒本体１４は、概ね、前後方向（図１の左右方向）に延伸する細長い円筒の形状であって、前方端部（図１の左側）が斜めに切断された形状を有する。好ましくは、鏡筒本体１４はアルミなどの金属製である。
【００２１】
鏡筒本体１４の前方端部は、測定するサンプル（被測定液）Ｓを滴下するためのサンプル載置面１６を含む。サンプル載置面１６は、前方に傾斜する平らな傾斜部１８と、この傾斜部１８を取り囲むように、傾斜部１８に連なって前方に延在する概ね円筒曲面状のサンプル滴下部２０と、を含む。傾斜部１８には開口２４が形成され、この開口２４を塞ぐようにプリズム２２が配置されている。
【００２２】
サンプル載置面１６の上側には、蓋板２６が、開位置と閉位置の間を旋回自在にピン２７により取り付けられる。蓋板２６は、図１に示す閉位置にあるとき、サンプル載置面１６との間にサンプルＳを保持する。蓋板２６は、サンプルＳに様々な角度から光が入射するように光透過性材料からなる。
【００２３】
図３は、手持ち屈折計１０の前方部分を示す斜視図である。図示のように、蓋板２６は、閉位置にあるとき、サンプル載置面１６の傾斜部１８全体を覆う。また、サンプル滴下部２０は、下側に位置する部分ほど前後方向に長い寸法を有し、閉位置にある蓋板２６の先端２６ａより前方に延在する。これにより、粘性の小さいサンプルの場合には、蓋板２６を閉じた状態でサンプルＳをサンプル滴下部２０に滴下し、毛細管現象により、蓋板２６と傾斜部１８の間にサンプルＳを行き渡らせることができ、サンプルの滴下後すぐに測定を行うことが可能となる。また、サンプルＳを、アルミなどの金属であるサンプル滴下部２０に滴下することで、サンプルＳと鏡筒本体１４の温度差を小さくすることができる。
【００２４】
サンプル滴下部２０は、傾斜部１８と共に凹部２８を形成し、滴下したサンプルＳが凹部２８の外に流れ出すことを防止する。また、凹部２８でスプーンのようにサンプルＳをすくうこともできる。
【００２５】
再び図１を参照すると、プリズム２２は、サンプルＳとの境界面を成す入射面２２ａと、入射面２２ａから入射した光が出射する出射面２２ｂと、を有する。プリズム２２は、入射面２２ａがサンプル載置面１６の傾斜部１８の開口２４を塞ぐように、鏡筒本体１４に固定される。入射面２２ａの外周は、シーリングにより開口２４に接着される。
【００２６】
鏡筒本体１４の中央部に配置された光学シャーシ３０は、概ね円筒形の形状を有する。好ましくは、光学シャーシ３０は、概ね半円筒形の形状を有し且つ相互に接合された第１シャーシ（上側シャーシ）３０ａおよび第２シャーシ（下側シャーシ）３０ｂを含む。光学シャーシ３０は、鋳込み成形などにより容易に成形されるようにプラスチックからなる。
【００２７】
光学シャーシ３０は、一般に屈折率測定の基準温度とされる２０℃において、その中心軸が概ね鏡筒１１の延伸軸（以下、鏡筒軸と称する）Ａに平行になるように鏡筒１１に支持される。以下、鏡筒軸Ａの方向をｚ軸方向とし、プリズムの入射面２２ａおよび出射面２２ｂの法線を含む平面をｙｚ平面と称する。
【００２８】
光学シャーシ３０の内側には、乱反射による迷光の発生を防止する遮光手段３２として複数の溝が形成されている。光学シャーシ３０の内側には対物レンズ３４、光学目盛３６および開玉レンズ３８をそれぞれ位置決めするための対物レンズ位置決め部４０、光学目盛位置決め部４２および開玉レンズ位置決め部４４が設けられている。
【００２９】
対物レンズ３４は、対物レンズ位置決め部４０により光学シャーシ３０の前方（プリズム２２側）に位置決めされる。位置決めにより、対物レンズ３４の光軸は、光学シャーシ３０の中心軸に合わせられる。
【００３０】
光学目盛３６は、光学目盛位置決め部４２により、対物レンズ３４の焦点に位置決めされる。光学目盛３６には、従来の手持ち屈折計では一般的にガラスが使用されているが、ポリエステル樹脂（ＰＥＴ）からなるフィルムを使用する。これにより、材料コストを低減することができる。
【００３１】
開玉レンズ３８は、開玉レンズ位置決め部４４により、光軸が対物レンズ３４の光軸と一致するように光学目盛３６の後方に位置決めされる。
【００３２】
光学シャーシ３０の外側には、対物レンズ３４の近傍から下方に向かって延伸する延伸部４６と、光学目盛３６の近傍から左右に突出する一対の支持部４７、４８（図２）と、が設けられている。延伸部４６は、金属またはプラスチックからなり、円筒形の形状を有する。
【００３３】
光学シャーシ３０は、延伸部４６で光軸移動手段５０に支持される。また、光学シャーシ３０は、支持部４７、４８で、これらの支持部４７、４８を通るｘ軸方向の軸Ｂ（図２）を中心としてｙｚ面内で旋回自在に支持される。
【００３４】
光軸移動手段５０は、対物レンズ３４の近傍における光学シャーシ３０の外側に配置される。光軸移動手段５０は、温度変化に応じて変位する駆動部材５２と、光学シャーシ３０を駆動部材５２に向かって付勢する付勢部材５４と、を含む。
【００３５】
駆動部材５２は、鏡筒１１内において、光学シャーシ３０の延伸部４６の下側に配置される。より詳細には、駆動部材５２は、鏡筒本体１４に固定されたケース５６内に配置される。ケースは５６は、金属あるいは樹脂からなり、円筒形の形状を有する。光学シャーシ３０に面するケース５６の蓋板５８には開口６０が設けられている。この開口６０を通って光学シャーシ３０の延伸部４６が延伸し、ケース５６内の駆動部材５２に当接する。
【００３６】
図４に拡大して示すように、駆動部材５２は、温度変化に応じてその中心軸Ｃの方向に伸縮するディスク状（円板状）のバイメタルを有する。駆動部材５２は、その中心軸Ｃがｙ方向になるように鏡筒１１に対して位置決めされ、温度変化に応じてｙ方向に変位する。これにより、駆動部材５２は、光学シャーシ３０の対物レンズ３４近傍の部分をｙ方向に移動し、支持部４７、４８を中心として光学シャーシ３０全体を、図１に矢印Ｄで示すようにｙｚ面内で旋回する。
【００３７】
旋回の中心に位置する光学目盛３６は移動しないので、光学目盛３６に対する対物レンズ３４のｙ方向の相対変位量は、駆動部材５２の変位量に等しくなる。従って、駆動部材５２の変位量を、温度変化による光学目盛３６上の明暗の境界線のずれと等しくすることにより、温度補正を行うことができる。図４の例では、駆動部材５２として、６枚のディスク状バイメタルを重ねて使用する。
【００３８】
図４に示すように、ケース５６の外周面にはネジ部５６ａが形成されている。図１に示すように、鏡筒本体１４には、ケース５６を配置するための開口部６２が設けられ、開口部６２の内側面にはケース５６のネジ部５６ａと螺合するネジ部６２ａが形成されている。これにより、屈折計１０を組み立てる際、駆動部材５２をケース５６に収容し、ケース５６を開口部６２に螺合することにより、駆動部材５２を鏡筒本体１４に対して容易に位置決めすることができる。位置決め後、ケース５６と開口部６２のネジ部５６ａおよび６２ａの間をシーリングすることにより、ケース５６が鏡筒本体１４に固定される。
【００３９】
付勢部材５４は、対物レンズ３４をはさんで駆動部材５２と対向するように光学シャーシ３０の外側に配置された板ばね６４を含む。板ばね６４は、その一端６４ａが対物レンズ３４近傍の光学シャーシ３０の上側側面に固定され、後方に延伸し、他端６４ｂが鏡筒本体１４の内側面に当接する。
【００４０】
鏡筒本体１４の後端部には、概ね円筒形の接眼フレーム６６が接合される。鏡筒本体１４と接眼フレーム６６の接合部には、Ｏリング６７が設けられている。接眼フレーム６６の後部開放端６９は、ガラス板６８により密閉される。ガラス板６８は、好ましくはＵＶ接着により接眼フレーム６６に固定される。
【００４１】
接眼フレーム６６の外側には、概ね円筒形の形状を有するプラスチック製の見口部７０が取り付けられる。接眼フレーム６６の外周面と見口部７０の内周面には相互に螺合するネジ部６６ａおよび７０ａがそれぞれ形成され、見口部７０は接眼フレーム６６に取り外し可能にネジ結合される。これにより、使用者は見口部７０を取り外し、ガラス板６８の外側面を清掃することができる。
【００４２】
見口部７０の後部中央には接眼開口７２が形成され、この接眼開口７２には、元玉レンズ７４が、ガラス板６８をはさんで開玉レンズ３８と対向するように固定される。元玉レンズ７４の光軸は鏡筒軸Ａに一致する。
【００４３】
上記構成により、本願発明による屈折計１０の実施形態によれば、温度変化に応じて光学シャーシ３０ごと対物レンズ３４を移動することにより、温度補正を精度良く行うことができる。また、屈折計１０は、従来の自動温度補正機能を備えた手持ち屈折計に比べて部品点数が少ないため、組み立てが容易であり、製造コストを低減することができる。屈折計１０の自動温度補正機能は、より小型の手持ち屈折計にも適用することができる。
【００４４】
また、本願発明による屈折計１０の実施形態によれば、サンプルＳを金属製のサンプル載置面１６のサンプル滴下部２０に滴下することにより、サンプルＳの温度を屈折計１０の温度に近づけることができる。滴下したサンプルＳが閉じた蓋板２６とサンプル載置面１６の間に自動的に配置されるので、測定を迅速に行うことができる。サンプル滴下部２０を設けたことにより、サンプルＳがサンプル載置面１６の外に流れるのを防止することができる。
【００４５】
尚、本願発明による屈折計１０の実施形態によれば、鏡筒本体１４の前方の開口２４にプリズム２２をシーリングにより接着固定し、鏡筒本体１４と接眼フレーム６６との接合部にＯリングを設け、接眼フレーム６６の後方の開口６９にガラス板をＵＶ接着し、光軸移動手段５２の駆動部材５４を収容したケース５８と鏡筒本体１４の開口部６２とのネジ接合部にシーリング処理を施すことにより、ＩＰ６５等級の保護構造（完全な防塵構造、全方向の噴流水からの保護構造）を備えた手持ち屈折計とすることができる。
【００４６】
以下、図１および図５〜図７を参照して、屈折計１０の作用を説明する。
【００４７】
図１に示すように、蓋板２６を閉じた状態で、サンプル滴下部２０にサンプルＳを滴下すると、サンプルＳは、サンプル滴下部２０から蓋板２６とプリズムの入射面２２ａの間に行き渡る。
【００４８】
蓋板２６を通してサンプルＳに様々な角度から光が入射し、サンプルＳとプリズムの境界面を成すプリズムの入射面２２ａで屈折した光が、プリズム２２を通って光学シャーシ３０内へ入射する。
【００４９】
図５は、基準温度２０℃で使用される屈折計１０を示す。サンプルＳとプリズム２２の境界面において臨界角θ０で屈折した光は、対物レンズ３４により、サンプルＳの濃度または糖度に対応する光学目盛３６上の位置Ｐ０に明暗の境界線を結像する。
【００５０】
基準温度２０℃より高い温度（例えば３０℃）のとき、サンプルＳの屈折率は２０℃での屈折率より小さくなり、サンプルＳとプリズム２２の境界面における臨界角θ１は、２０℃での臨界角θ０よりも小さくなる。従って、温度補正をしなければ、図１０に示すように、光学目盛３６上の位置Ｐ０よりも距離Ｈ１下方の位置Ｐ１に明暗の境界線が現れる。
【００５１】
図６は、基準温度２０℃より高い温度で使用される屈折計１０を示す。図示のように、駆動部材５２はｙ方向に伸張し、光学シャーシ３０ごと対物レンズ３４を上方へ移動している。光学シャーシ３０は光学目盛３６を中心として上向きに旋回しており、対物レンズ３４は光学目盛３６に対して上方に移動している。この対物レンズ３４の光学目盛３６に対するｙ方向の相対変位量が前述の距離Ｈ１と等しいことにより、明暗の境界線はサンプルＳの濃度または糖度に対応する光学目盛３６上の位置Ｐ０に現れる。
【００５２】
一方、基準温度２０℃より低い温度（例えば１０℃）では、サンプルＳの屈折率は２０℃での屈折率より大きくなり、サンプルＳとプリズム２２の境界面における臨界角θ２は、２０℃での臨界角θ０よりも大きくなる。従って、温度補正をしなければ、図１１に示すように、光学目盛３６上の位置Ｐ０よりも距離Ｈ２上方の位置Ｐ２に明暗の境界線が現れる。
【００５３】
図７は、基準温度２０℃より低い温度で使用される屈折計１０を示す。図示のように、駆動部材５２はｙ方向に収縮し、光学シャーシ３０ごと対物レンズ３４を下方へ移動している。光学シャーシ３０は光学目盛３６を中心として下向きに旋回しており、対物レンズ３４は光学目盛３６に対して下方に移動している。この対物レンズ３４の光学目盛３６に対するｙ方向の相対変位量が前述の距離Ｈ２と等しいことにより、明暗の境界線はサンプルＳの濃度または糖度に対応する光学目盛３６上の位置Ｐ０に現れる。
【００５４】
対物レンズ３４により光学目盛３６上に結像された明暗の境界線が示す測定値は、使用者によって読み取り可能であるように開玉レンズ３８および元玉レンズ７４により拡大される。
【００５５】
要するに、本願発明による手持ち屈折計の実施形態は、以下の特徴を有する。
【００５６】
１．  被測定体Ｓの屈折率を測定するための手持ち屈折計であって、
鏡筒軸Ａを有する鏡筒１１と、
鏡筒１１の一端に固定されたプリズム２２であって、被測定体Ｓとの境界面を成す入射面２２ａを有するプリズム２２と、
鏡筒１１内に、鏡筒軸Ａと直交する所定の旋回軸Ｂを中心として旋回自在に支持された筒形の光学シャーシ３０と、
光学シャーシ３０内に配置され、光学シャーシ３０に対して光軸が位置決めされた対物レンズ３４と、
光学シャーシ３０内において、旋回軸Ｂの近傍であって対物レンズ３４の焦点に配置された光学目盛３６と、
温度変化に応じて、光学シャーシ３０を旋回軸Ｂを中心として旋回することにより、光学目盛３６に対して対物レンズ３４の光軸を相対的に移動する光軸移動手段５０と、
を有する。
【００５７】
２．  旋回軸Ｂは、プリズムの入射面２２ａの法線と、入射面２２ａから入射した光が出射するプリズムの出射面２２ｂの法線と、を含む測定平面ｙｚに垂直な軸である。
【００５８】
３．  光軸移動手段５０は、対物レンズ３４の近傍において光学シャーシ３０を支持し、温度変化に応じて変位することにより光学シャーシ３０を傾ける駆動部材５２を含む。
【００５９】
４．  駆動部材５２は、ディスク状のバイメタルを含む。
【００６０】
５．  ディスク状のバイメタルは、鏡筒１１に固定されたケース５６内に配置される。
【００６１】
６．  光軸移動手段５０は、光学シャーシ３０を駆動部材５２に向かって付勢する付勢部材５４を含む。
【００６２】
７．  付勢部材５４は、鏡筒１１と光学シャーシ３０との間に配置された板ばね６４を含む。
【００６３】
８．  鏡筒１１の一端に、開位置と閉位置の間で旋回自在に取り付けられた蓋板２６であって、閉位置においてプリズム２２の入射面２２ａを覆う蓋板２６と、
鏡筒１１のプリズム２２よりも先端側に設けられたサンプルＳを滴下するためのサンプル滴下部２０であって、プリズムの入射面２２ａと連なっており、蓋板２６が閉位置にあるとき外部に露出するサンプル滴下部２０と、
をさらに有する。
【００６４】
前記手持ち屈折計は、以下の効果を奏する。
【００６５】
（１）  精度良く温度補正を行うことができる。
【００６６】
（２）  部品の数が少ない。
【００６７】
（３）  組み立てが容易である。
【００６８】
（４）  小型化することができる。
【００６９】
（５）  製造コストを低減することができる。
【００７０】
（６）  サンプルの滴下後すぐに測定を行うことができる。
【００７１】
（７）  サンプルの温度を屈折計の温度に近づけることができる。
【００７２】
（８）  サンプルが屈折計の周囲に流れにくい。
【００７３】
（９）  ＩＰ６５等級の防塵性、防水性を備えることができる。
【００７４】
尚、この発明は上記実施形態に限定されるものでなく、他の様々な形態で実施されることができる。
【図面の簡単な説明】
【００７５】
【図１】図１は、本願発明による手持ち屈折計の実施形態を光軸に沿って縦方向に切断した断面図である。
【図２】図２は、図１の手持ち屈折計を光軸に沿って横方向に切断した断面図である。
【図３】図３は、図１の手持ち屈折計の前方部分を示す斜視図である。
【図４】図４は、図１の手持ち屈折計の駆動部材を示す部分詳細断面図である。
【図５】図５は、基準温度で使用される図１の屈折計の光路図である。
【図６】図６は、高い温度で使用される図１の屈折計の光路図である。
【図７】図７は、低い温度に使用される図１の屈折計の光路図である。
【図８】図８は、従来の手持ち屈折計の断面図である。
【図９】図９は、温度補正機能を備えた従来の手持ち屈折計の断面図である。
【図１０】図１０は、温度補正機能をしない場合の図６と同様の光路図である。
【図１１】図１１は、温度補正機能をしない場合の図７と同様の光路図である。
【符号の説明】
【００７６】
１０  手持ち屈折計
１２  鏡筒
１４  鏡筒本体
１６  サンプル載置面
１８  傾斜部
２０  サンプル滴下部
２２  プリズム
２６  蓋板
２８  凹部
３０  光学シャーシ
３４  対物レンズ
３６  光学目盛
３８  開玉レンズ
４６  延伸部
４７、４８  支持部
５０  光軸移動手段
５２  駆動部材
５４  付勢部材
５６  ケース
６４  板ばね
６６  接眼フレーム
６８  ガラス板
７０  見口部
７４  元玉レンズ
【図１】
2006208179.tif 000003
【図２】
2006208179.tif 000004
【図３】
2006208179.tif 000005
【図４】
2006208179.tif 000006
【図５】
2006208179.tif 000007
【図６】
2006208179.tif 000008
【図７】
2006208179.tif 000009
【図８】
2006208179.tif 000010
【図９】
2006208179.tif 000011
【図１０】
2006208179.tif 000012
【図１１】
2006208179.tif 000013